(57)【要約】【課題】可撓性ＯＬＥＤディスプレイ画面のための記憶形状要素を提供する。【解決手段】ＯＬＥＤディスプレイが、ディスプレイのそれぞれの端部に沿って配置されるとともにプロセッサの制御下で通電されてディスプレイを巻かれた構成又は折り曲げた構成から平らにすることができる１又はそれ以上の形状記憶ワイヤを有する。【選択図】なし【特許請求の範囲】
【請求項１】
有形コンピュータ可読記憶媒体にアクセスするプロセッサを保持するハウジングと、
前記プロセッサと通信する入力装置と、
前記ハウジングに結合され、前記プロセッサからの信号に応答して出力を表示する、折り畳んだ構成と実質的に平らな平行６面体型である広げた構成との間で自在に動く可撓性有機発光ダイオード（ＯＬＥＤ）ディスプレイと、
前記ディスプレイに結合され、前記プロセッサの制御下で通電されて前記ディスプレイの構成を確立することができる少なくとも１つの形状記憶要素と、
を備えることを特徴とするコンピュータ装置。
【請求項２】
前記入力装置が、キーボード、又は前記ハウジング上に配列されたキーパッドである、
ことを特徴とする請求項１に記載の装置。
【請求項３】
前記形状記憶要素が通電時に真っ直ぐになり、前記形状記憶要素が通電時に確立する構成が広げた構成であり、前記形状記憶要素が非通電時に曲がる、
ことを特徴とする請求項１に記載の装置。
【請求項４】
折り畳んだ構成にある場合、前記ディスプレイが巻かれる、
ことを特徴とする請求項１に記載の装置。
【請求項５】
前記ディスプレイが、前記折り畳んだ構成に物質的に付勢される、
ことを特徴とする請求項１に記載の装置。
【請求項６】
前記形状記憶要素が非通電時に真っ直ぐになって通電時に曲がり、前記形状記憶要素が通電時に確立する構成が前記折り畳んだ構成であり、前記ディスプレイが前記広げた構成に物質的に付勢される、
ことを特徴とする請求項１に記載の装置。
【請求項７】
前記ディスプレイが、該ディスプレイの第１の端部に沿って前記ハウジングに結合され、前記ディスプレイが、前記広げた構成において前記第１の端部に垂直な第２及び第３の端部を定め、該第２及び第３の端部が、前記広げた構成において前記第１の端部に平行な第４の端部で終端し、前記第２の端部に沿って前記形状記憶要素が配置される、
ことを特徴とする請求項１に記載の装置。
【請求項８】
前記形状記憶要素が第１の形状記憶要素であり、前記装置が第２の形状記憶要素を含んで他には形状記憶要素を含まず、前記第２の形状記憶要素が前記第４の端部に沿って配置される、
ことを特徴とする請求項７に記載の装置。
【請求項９】
前記形状記憶要素が第１の形状記憶要素であり、前記装置が第２の形状記憶要素及び第３の形状記憶要素を含み、前記第２の形状記憶要素が前記第４の端部に沿って配置され、前記第３の形状記憶要素が前記第３の端部に沿って配置される、
ことを特徴とする請求項７に記載の装置。
【請求項１０】
プロセッサと、
前記プロセッサが要求する画像を表示する可撓性ディスプレイと、
前記ディスプレイを平らに保持するための、前記プロセッサにより制御される形状記憶手段と、
を備えることを特徴とする情報処理システム。
【請求項１１】
前記ディスプレイがＯＬＥＤディスプレイであり、前記形状記憶手段が少なくとも１つの形状記憶手段である、
ことを特徴とする請求項１０に記載のシステム。
【請求項１２】
前記形状記憶要素が通電時に真っ直ぐになり、前記形状記憶要素が通電時に確立する構成が平らな構成であり、前記形状記憶要素が非通電時に曲がる、
ことを特徴とする請求項１１に記載のシステム。
【請求項１３】
前記形状記憶要素が非通電になると前記ディスプレイが巻き上げられる、
ことを特徴とする請求項１１に記載のシステム。
【請求項１４】
前記ディスプレイが折り畳んだ構成に物質的に付勢される、
ことを特徴とする請求項１０に記載のシステム。
【請求項１５】
前記形状記憶要素が非通電時に真っ直ぐになって通電時に曲がり、前記形状記憶要素が通電時に確立する構成が折り畳んだ構成であり、前記ディスプレイが平らな構成に物質的に付勢される、
ことを特徴とする請求項１１に記載のシステム。
【請求項１６】
前記ディスプレイが、該ディスプレイの第１の端部に沿ってハウジングに結合され、前記ディスプレイが、前記広げた構成において前記第１の端部に垂直な第２及び第３の端部を定め、該第２及び第３の端部が、前記広げた構成において前記第１の端部に平行な第４の端部で終端し、前記第２の端部に沿って前記形状記憶要素が配置される、
ことを特徴とする請求項１１に記載のシステム。
【請求項１７】
前記形状記憶要素が第１の形状記憶要素であり、前記装置が第２の形状記憶要素を含んで他には形状記憶要素を含まず、前記第２の形状記憶要素が前記第４の端部に沿って配置される、
ことを特徴とする請求項１５に記載のシステム。
【請求項１８】
前記形状記憶要素が第１の形状記憶要素であり、前記装置が第２の形状記憶要素及び第３の形状記憶要素を含み、前記第２の形状記憶要素が前記第４の端部に沿って配置され、前記第３の形状記憶要素が前記第３の端部に沿って配置される、
ことを特徴とする請求項１５に記載のシステム。
【請求項１９】
コンピュータの起動時に、形状記憶要素をエネルギーで作動させるステップと、
前記形状記憶要素が可撓性ディスプレイを平らにできるようにするステップと、
コンピュータ動作中に前記形状記憶要素を作動状態に保持するステップと、
所定の通電条件により、前記ディスプレイが折り畳んだ構成をとれるように前記形状記憶要素を制御するステップと、
を含むことを特徴とする方法。
【請求項２０】
前記通電条件が、所定の無活動期間後にコンピュータにより生成される省電力信号の受信である、
ことを特徴とする請求項１９に記載の方法。
【発明の詳細な説明】
【技術分野】
【０００１】
本発明は、一般に可撓性有機発光ダイオード（ＯＬＥＤ）ディスプレイ画面のための記憶形状要素に関する。
【背景技術】
【０００２】
現在販売中の可撓性有機発光ダイオード（ＯＬＥＤ）ディスプレイ画面は、曲げたり、折ったり、及び撓ませたりしても壊れないという独自の能力により好評を博してきており、さらに曲げたり、折ったり、又は撓ませたりした後も画像を正しく表示するという能力を依然として保持する。さらに、これらのディスプレイ画面は、使用時には平らであることが好ましいが、保管のために折り畳み又は巻き上げることができる。
【発明の概要】
【発明が解決しようとする課題】
【０００３】
しかしながら、このような画面はいずれ材料が偏って、ユーザが何かを見ようとした時に画面を真っ直ぐに又は平らに保つことが不自由になる可能性がある。画面を平らに保つために可撓性ＯＬＥＤディスプレイ画面に硬い端部を含めると、可撓性ＯＬＥＤにより意図される望ましい可撓性が無効になってしまう。
【０００４】
ユーザが可撓性ＯＬＥＤディスプレイ画面を容易に保管するために、平らではなく折り畳んで保管する必要がある場合には別の問題が生じる。可撓性ＯＬＥＤディスプレイ画面をこのような形に折り畳めるにもかかわらず、今のところこれらを折り畳んだ小さな形に保つための解決法は存在しない。
【課題を解決するための手段】
【０００５】
従って、コンピュータ装置が、有形コンピュータ可読記憶媒体にアクセスするプロセッサを保持するハウジングと、このプロセッサと通信する入力装置とを含む。ハウジングには、プロセッサからの信号に応答して出力を表示するための可撓性有機発光ダイオード（ＯＬＥＤ）ディスプレイが結合される。このディスプレイは、折り畳んだ構成と、実質的に平らな平行６面体型の広げた構成との間で自在に動く。ディスプレイには少なくとも１つの形状記憶要素が結合され、この形状記憶要素は、プロセッサの制御下で通電されてディスプレイの構成を確立することができる。
【０００６】
いくつかの実施形態例では、入力装置がキーボード、又はハウジング上に配列されたキーパッドである。形状記憶要素は、通電時に真っ直ぐになることができ、この場合、形状記憶要素が通電時に確立する構成は広げた構成であり、形状記憶要素は非通電時に曲がる。
【０００７】
折り畳んだ構成にある場合、ディスプレイを巻き上げることができる。このために、ディスプレイを折り畳んだ構成に物質的に付勢することができる。
【０００８】
或いは、形状記憶要素が非通電時に真っ直ぐになって通電時に曲がるようにすることもでき、この場合、形状記憶要素が通電時に確立する構成は折り畳んだ構成である。この実施形態では、ディスプレイが広げた構成に物質的に付勢される。
【０００９】
いくつかの実施構成例では、ディスプレイが、ディスプレイの第１の端部に沿ってハウジングに結合され、広げた構成では第１の端部に垂直な第２及び第３の端部を定める。広げた構成では、第２及び第３の端部は第１の端部に平行な第４の端部で終端する。この第２の端部に沿って形状記憶要素を配置することができる。或いは、形状記憶要素を第１の形状記憶要素とし、装置が第２の形状記憶要素を含んで他には形状記憶要素を含まないようにし、この第２の形状記憶要素を第４の端部に沿って配置することができる。さらには、形状記憶要素を第１の形状記憶要素とし、装置が第２の形状記憶要素及び第３の形状記憶要素を含むようにして、第２の形状記憶要素を第４の端部に沿って配置し、第３の形状記憶要素を第３の端部に沿って配置することができる。
【００１０】
別の態様では、情報処理システムが、プロセッサと、プロセッサが要求する画像を表示する可撓性ディスプレイと、ディスプレイを平らに保持するための、プロセッサにより制御される形状記憶手段とを含む。
【００１１】
別の態様では、方法が、コンピュータの起動時に形状記憶要素をエネルギーで作動させるステップと、形状記憶要素が可撓性ディスプレイを平らにできるようにするステップとを含む。この方法はまた、コンピュータ動作中に形状記憶要素を作動状態に保持するステップも含む。所定の通電条件により、形状記憶要素は、ディスプレイが折り畳んだ構成をとれるように制御される。必要に応じて、この通電条件を、所定の無活動期間後にコンピュータが生成する省電力信号の受信としてもよい。
【図面の簡単な説明】
【００１２】
【図１】少なくとも１つの記憶形状要素を含む可撓性ＯＬＥＤディスプレイ画面の広げた構成の概略図である。
【図２】少なくとも１つの記憶形状要素を含む可撓性ＯＬＥＤディスプレイ画面の折り畳んだ構成の概略図である。
【図３】記憶形状要素を１つしか含んでいない可撓性ＯＬＥＤディスプレイ画面の実施形態例の斜視図である。
【図４】記憶形状要素を２つしか含んでいない可撓性ＯＬＥＤディスプレイ画面の実施形態例の斜視図である。
【図５】３又はそれ以上の記憶形状要素を含む可撓性ＯＬＥＤディスプレイ画面の実施形態例の斜視図である。
【発明を実施するための形態】
【００１３】
まず図１を参照すると、可撓性有機発光ダイオード（ＯＬＥＤ）ディスプレイを示している。この可撓性ＯＬＥＤディスプレイ１０はハウジング１２に結合される。ハウジング１２は、有形コンピュータ記憶媒体１６にアクセスするプロセッサ１４を含む。さらに、プロセッサ１４は、キーボード、ハウジング上に配列されたキーパッド、手書き認識モジュールを含むタッチセンサ式スレート、リモコン装置、音声認識モジュール、又はその他の入力装置などのデータ入力装置１８と通信することができる。
【００１４】
ディスプレイ１０は、プロセッサ１４からの信号に応答して出力を表示することができる。従って、キー入力装置１８は、ユーザがプロセッサ１４との通信を介してディスプレイ１０上に何が表示されているかを判断できるようにする方法を提供する。
【００１５】
ディスプレイ１０は、広げた構成２０と図２で説明する折り畳んだ構成との間で自在に動く。非限定的な実施形態では、図１に示す広げた構成２０が実質的に平らな平行６面体型であることを理解されたい。
【００１６】
さらに、ディスプレイ１０は、ディスプレイ１０の第１の端部２２に沿ってハウジング１２と結合される。ディスプレイはまた、第１の端部に垂直な第２の端部２４及び第３の端部２６も有する。広げた構成２２の非限定的な実施形態では、第２の端部２４及び第３の端部２６が、第１の端部２２に平行な第４の端部２８で終端することができる。
【００１７】
引き続き図１を参照すると、非限定的な実施形態では、ディスプレイ１０に結合された少なくとも１つの形状要素３０をディスプレイ１０の少なくとも１つの端部に沿って、好ましくは第１の端部２２に垂直な端部に沿って配置することができる。要素３０は、プロセッサ１４の制御下で通電されてディスプレイ１０の構成を確立することができる。
【００１８】
電源投入時の起動処理の一部としてプロセッサ１４により要素３０を自動的に通電してディスプレイを平らにすることができる。電源切断信号の受信時にプロセッサにより要素３０を自動的に非通電にすることができるが、完全に非通電となる前に、コンピュータがディスプレイを折り曲げ、巻き上げ、又は別様に折り畳めるようにすることができる。或いは、所定の無活動期間後にコンピュータが生成できる省電力信号に応答して要素３０を自動的に非通電にすることができる。
【００１９】
要素３０をディスプレイ１０自体のいずれかの端部に沿って配置する必要はなく、ディスプレイ１０が広げた構成と折り畳んだ構成との間で変化できるようにするいずれかの方法でディスプレイ１０に結合できることを理解されたい。この方法はまた、ディスプレイ１０を通電時に真っ直ぐになる圧電材料で製造して記憶形状ワイヤを不要にするステップを含むこともできる。
【００２０】
次に図２を参照すると、図１で参照した可撓性ＯＬＥＤディスプレイ１０の折り畳んだ構成の一例を示している。図２に示すディスプレイ１０の非限定的な実施形態例では、この折り畳んだ構成３２を巻かれた構成とすることができる。ディスプレイ１０の折り畳んだ構成３２は、プロセッサ１４と、有形記憶媒体１６と、及びキー入力装置１８とを有するハウジング１２に結合されたままであり、これらの機能は全て図１で行ったそれぞれの説明に従う。
【００２１】
さらに、図２には示していないが、折り畳んだ構成３２で示しているディスプレイ１０は、なおも第１の端部２２、第２の端部２４、第３の端部２６、第４の端部２８を有する。ディスプレイ１０はまた、ディスプレイ１０に結合されてプロセッサ１４の制御下で通電することができる少なくとも１つの形状要素３０も有する。
【００２２】
従って、非限定的な実施形態では、形状要素３０が通電時に真っ直ぐになって、ディスプレイ１０を図１で説明した広げた構成２０に保持することがここで理解できよう。そして、形状要素３０は、非通電時には曲がって図２に示す折り畳んだ構成３２に変化する。さらに、非限定的な実施形態では、非通電時に図２に示すディスプレイ１０を折り畳んだ構成３２に物質的に付勢することができる。
【００２３】
或いは、非限定的な実施形態では、形状記憶要素３０が非通電時に真っ直ぐになり、通電時に曲がるようにすることもできると理解されたい。少なくとも１つの要素３０を通電すると折り畳んだ構成３２になるこのような代替の非限定的な実施形態では、ディスプレイ１０が広げた構成に物質的に付勢される。また一方、さらに他の非限定的な実施形態では、ディスプレイ１０を（巻いて折り畳んだ構成ではなく重ねて折り畳んだ構成などの）本明細書では説明しない別の構成に物質的に付勢できることを理解されたい。
【００２４】
次に図３を参照すると、本原理を具体化する可撓性ＯＬＥＤディスプレイを示している。非限定的な実施形態では、可撓性ＯＬＥＤディスプレイ３４を平らな平行６面体型とすることができ、図３には示していないハウジングに結合することができ、また同じく示していないプロセッサからの信号に応答して出力を表示できるようにすることができる。さらに、ディスプレイ３４は、機能及び構成が図１及び図２のディスプレイ１０と実質的に同様である（すなわち、ハウジングに取り付けられた第１の端部、及び図１を参照しながら説明した制限を受ける第２、第３、及び第４の端部を有する）。
【００２５】
ディスプレイ３４はまた、図１及び図２で説明したディスプレイ１０の動きの能力と実質的に同様に、折り畳んだ構成と広げた構成との間で自在に動くことも理解される。非限定的な実施形態では、ディスプレイ３４を、広げた構成、折り畳んだ構成、又は代替の構成に物質的に付勢することができる。ディスプレイ３４もまた、機能及び構成が図２に示す第１の端部２２と実質的に同様な第１の端部３６を有する。第１の端部３６は、図示してはいないが機能及び構成が図１に示すハウジング１２と実質的に同様なハウジングに結合されることが理解される。このディスプレイもまた第２の端部３８、第３の端部４０、及び第４の端部４２を有し、これらの構成は全て図１で説明した第２の端部２４、第３の端部２６、及び第４の端部２８と実質的に同様である。
【００２６】
引き続き図３を参照すると、この非限定的な実施形態では、ディスプレイ３４が、第２の端部３８に沿って配置された１つの形状記憶要素４４しか有しておらず、第３の端部４０又は第４の端部４２に沿った形状記憶要素は有していなくてもよいことが理解できよう。
【００２７】
次に図４を参照すると、機能及び構成が図３で参照したディスプレイ３４と実質的に同様なディスプレイ４６を示している。この非限定的な実施形態では、ディスプレイ４６が、第１の端部４８、第２の端部５０、第３の端部５２，及び第４の端部５４を有しており、これらの構成は全て図１及び図２で説明した端部２２、２４、２６、及び２８と実質的に同様である。ディスプレイ４６は、第２の端部５０に沿って配置された第１の形状記憶要素５６、及び第４の端部５４に沿って配置された第２の形状記憶要素５８を有する。図４では、要素５６及び５８のほかには形状記憶要素が存在しないことが理解できよう。
【００２８】
次に図５を参照すると、機能及び構成が図３で参照したディスプレイ３４と実質的に同様なディスプレイ６０を示している。この非限定的な実施形態では、ディスプレイ６０は、第１の端部６２、第２の端部６４、第３の端部６６、及び第４の端部６８を有しており、これらの構成は全て図１及び図２で説明した端部２２、２４、２６、及び２８と実質的に同様である。ディスプレイ６０は、第２の端部７０に沿って配置された第１の形状記憶要素７０、及び第４の端部６８に沿って配置された第２の形状記憶要素７２を有する。さらに、ディスプレイ６０は、第３の端部６６に沿って配置された第３の形状記憶要素７４を有する。図４では、要素７０、７２、及び７４のほかには形状記憶要素が存在しないことが理解できよう。
【００２９】
本発明を可撓性有機発光ダイオードディスプレイに関して説明したが、図１〜図５で説明した記憶形状要素の原理を非ＯＬＥＤディスプレイにも適用できることを理解されたい。
【００３０】
本明細書では特定の可撓性ＯＬＥＤディスプレイ画面のための記憶形状要素を示し、これについて詳細に説明したが、本発明に含まれる主題は特許請求の範囲によってのみ限定されることを理解されたい。
【図１】
2011085934.tif 000002
【図２】
2011085934.tif 000003
【図３】
2011085934.tif 000004
【図４】
2011085934.tif 000005
【図５】
2011085934.tif 000006